(57)【要約】【課題】  僅かな腕の力で被介護者を抱き上げて移動でき、しかも大柄で重量のある被介護者を載せた場合でも脱落することなく安全に移動できるようにする。【解決手段】  被介護者Ｑの脇下、膝裏を支えた状態で包み込む略紡錘袋状のスリング本体１を形成し、スリング本体１の開口部の両側縁部４Ａ，４Ｂに、一方の支持端部１Ａ側で両側縁部４Ａ，４Ｂ同士が縫合した縫合部８から外方へ引き出し可能に延長した窄め紐体２を内挿する。また、スリング本体１の他方の支持端部１Ｂを絞った状態で挿通してから折り返し縫着することで取り付け、スリング本体１の一方の支持端部１Ａを挿通して当該スリング本体１を環状となすように緊結可能とする二重環による連結リング３Ａ，３Ｂをスリング本体１に設ける。他方の支持端部１Ｂ側には、ポリエステル綿入りの肩当て部５を形成し、一方の支持端部１Ａの両側端には面ファスナーを付設する。【選択図】      図１
2006340961.tif 000002
【特許請求の範囲】
【請求項１】
被介護者、ペット等の被抱持物を抱き上げて移動させるスリングであって、被抱持物の脇の下と膝の裏とを支えた状態で被抱持物を包み込むよう、前後の支持端部相互を連結して左右方向で開口部を開閉可能にさせる両側縁部を備えた略紡錘袋状のスリング本体と、両側縁部同士が縫合された一方の支持端部側で一端が引き出し可能に外出延長されるよう両側縁部に内挿され、他方の支持端部側に他端が固着されていてスリング本体の開口部を窄めるようにした窄め紐体と、スリング本体の他方の支持端部を絞った状態で挿通してから折り返し縫着することで取り付けられ、スリング本体の一方の支持端部を挿通して当該スリング本体全体を前後に沿って環状となるように緊結可能とする二重環による連結リングとを有して成ることを特徴としたスリング。
【請求項２】
連結リングを備えた他方の支持端部側には、抱持者の肩を保護するクッションとなるポリエステル綿入りの肩当て部を形成して成る請求項１記載のスリング。
【請求項３】
スリング本体の開口部における両側縁部には、被抱持物を保護するクッション部を配設してある請求項１または２記載のスリング。
【請求項４】
一方の支持端部の両側端には、他方の支持端部側から折り畳まれたスリング本体自体をロール状に包み込んで固定するよう面ファスナーを付設した請求項２乃至３のいずれか記載のスリング。
【発明の詳細な説明】
【技術分野】
【０００１】
本発明は、例えば介護者により被介護者を、あるいは抱持者により犬等のペット類を抱っこして移動させる際に用いる１枚綿布で作られた介護用あるいはペット移動用として使用されるスリングに関するものである。
【背景技術】
【０００２】
従来、特許文献１に開示されているように、布生地が絞られて成る両端部に、二重環による連結手段によって互いに連結される支持帯を有し、両側縁部から収納部内側に向けて蛇腹状に折り畳み可能とした略紡錘袋状の乳児用スリングが存在する。
【特許文献１】特開２００３−４７５４２号公報
【発明の開示】
【発明が解決しようとする課題】
【０００３】
しかしながら、従来の乳児用スリングは、乳児用としてのみに使用されることにより大きさ自体が乳児用サイズに形成され、しかも収納部が蛇腹状に折り畳み可能となるように柔軟性を備えているため、乳児よりも大柄な老人、病人等の一般的な被介護者を載せるにはサイズや強度的にも無理がある。特に、荷重が集中する両側縁部は、乳児用サイズに応じて予め所定の長さに設定されているため、重量のある被介護者を抱えるべく載せた場合には、両側縁部が弛み捲れて脱落させてしまう虞れがある。
【０００４】
また、大型の犬等のペット類を抱えて運ぶような場合、これらのペット類を運ぶには適当な運搬用具がなく、簡易で取り扱いが容易な運搬用具が望まれていた。
【０００５】
そこで、本発明は叙上のような従来存した諸事情に鑑み創出されたもので、例えば介護者によって被介護者をベッドから車両等に移動させたり、あるいは階段で上がったり、下ろしたりするとき等において、介護者の僅かな腕の力で被介護者を抱き上げて移動させることができ、しかも大柄で重量のある被介護者を載せた場合でも脱落させてしまうことなく安全に移動させることができ、またペット類も容易に運ぶことのできるスリングを提供することを目的とする。
【課題を解決するための手段】
【０００６】
上述した課題を解決するため、本発明にあっては、被介護者、ペット類等の被抱持物Ｑを抱き上げて移動させるスリングであって、被抱持物Ｑの脇の下と膝の裏とを支えた状態被抱持物Ｑを包み込むよう、前後の支持端部１Ａ，１Ｂ相互を連結して左右方向で開口部を開閉可能にさせる両側縁部４Ａ，４Ｂを備えた略紡錘袋状のスリング本体１と、両側縁部４Ａ，４Ｂ同士が縫合された一方の支持端部１Ａ側で一端が引き出し可能に外出延長されるよう両側縁部４Ａ，４Ｂに内挿され、他方の支持端部１Ｂ側に他端が固着されていてスリング本体１の開口部を窄めるようにした窄め紐体２と、スリング本体１の他方の支持端部１Ｂを絞った状態で挿通してから折り返し縫着することで取り付けられ、スリング本体１の一方の支持端部１Ａを挿通して当該スリング本体１全体を前後に沿って環状となるように緊結可能とする二重環による連結リング３Ａ，３Ｂとを有して成るものとしたことである。
連結リング３Ａ，３Ｂを備えた他方の支持端部１Ｂ側には、抱持者Ｐの肩を保護するクッションとなるポリエステル綿入りの肩当て部５を形成して成るものとできる。
また、スリング本体１の開口部における両側縁部４Ａ，４Ｂには、被抱持物Ｑを保護するクッション部９Ａ，９Ｂを配設することができる。
一方の支持端部１Ａの両側端には、他方の支持端部１Ｂ側から折り畳まれたスリング本体１自体をロール状に包み込んで固定するよう面ファスナー６Ａ，６Ｂを付設したものとできる。
【０００７】
以上のように構成された本発明に係るスリングにあって、他方の支持端部１Ｂに設けられた二重環による連結リング３Ａ，３Ｂそれぞれに、一方の支持端部１Ａを窄めた状態で所定の長さに挿通した後に、当該一方の支持端部１Ａを折り返して再び二重環の片方の連結リング３Ａ（３Ｂ）に挿通して両支持端部１Ａ，１Ｂを緊結させることで、スリング本体１を環状に形成させる。
このとき、一方の連結リング３Ａ（３Ｂ）に挿通する一方の支持端部１Ａの長さを調節することで環状となるスリング本体１全体の環長を変更させ、被抱持物Ｑの大小に対応調整させる。
そして、被介護者、ペット類等の被抱持物Ｑの脇の下と膝の裏とをスリング本体１の両側縁部４Ａ，４Ｂによって支えるようにして当該被抱持物Ｑをくるんでから、環状のスリング本体１に運搬者等の抱持者Ｐの頭部を潜らせて一方の支持端部１Ａの肩当て部５が当該抱持者Ｐの肩に掛かるようにして持ち上げ可能にさせる。
このとき、両側縁部４Ａ，４Ｂに沿って挿通されている窄め紐体２を、二重環による連結リング３Ａ，３Ｂによって支持されている一方の支持端部１Ａ側から外方に強制的に引っ張ることにより、両側縁部４Ａ，４Ｂが互いに内側に窄まる状態となって、被抱持物Ｑをしっかりとスリング本体１内に収納保持し、密着可能にして不意にでも脱落させることがない。また、スリング本体１を窄めさせて被抱持物Ｑを収納保持したとき、両側縁部４Ａ，４Ｂに配したクッション部９Ａ，９Ｂが被抱持物Ｑを保護して縁部による傷み等を被抱持物Ｑに感じさせない。
一方の支持端部１Ａの両側端に付設した面ファスナー６Ａ，６Ｂは、スリング本体１の不使用時において他方の支持端部１Ｂ側から折り畳まれたスリング本体１自体をロール状に包み込んで固定させる。
【発明の効果】
【０００８】
本発明によれば、例えば介護者によって被介護者をベッドから車両等に移動させたり、あるいは階段で上がったり、下りたり、また、犬等のペット類を運んだりする場合等において、介護者、運搬者等の抱持者Ｐの僅かな腕の力でも被抱持物Ｑを抱き上げて移動させることができ、しかも大柄で重量のある被抱持物Ｑを抱えた場合でも脱落させてしまうことなく安全に移動させることができる。
【０００９】
すなわちこれは本発明が、被抱持物Ｑの脇の下と膝の裏とを支えた状態被抱持物Ｑを包み込むよう、前後の支持端部１Ａ，１Ｂ相互を連結している左右方向で開口部を開閉可能にさせる両側縁部４Ａ，４Ｂを備えた略紡錘袋状のスリング本体１と、両側縁部４Ａ，４Ｂ同士が縫合された一方の支持端部１Ａ側で一端が引き出し可能に外出延長されるよう両側縁部４Ａ，４Ｂに内挿され、他方の支持端部１Ｂ側に他端が固着されていてスリング本体１の開口部を窄めるようにした窄め紐体２と、スリング本体１の他方の支持端部１Ｂを絞った状態で挿通してから折り返し縫着することで取り付けられ、スリング本体１の一方の支持端部１Ａを挿通して当該スリング本体１全体を前後に沿って環状となるように緊結可能とする二重環による連結リング３Ａ，３Ｂとを有して成るからであり、これにより、被介護者、ペット類等の被抱持物Ｑの脇の下と膝の裏とをスリング本体１によって包まれるように被抱持物Ｑをくるんでから介護者、運搬者等の抱持者Ｐの肩に掛けて持ち上げることで、抱持者Ｐの腕の力を必要以上に使わなくても被抱持物Ｑを容易に抱き上げ、移動させることができる。
【００１０】
また、スリング本体１の開口部における左右の両側縁部４Ａ，４Ｂに沿って挿通されている窄め紐体２を、二重環による連結リング３Ａ，３Ｂによって支持されている一方の支持端部１Ａ側から外方に強制的に引っ張ることにより、両側縁部４Ａ，４Ｂが開口部を閉塞するように互いに内側に窄まる状態となって、被抱持物Ｑの身体にしっかりと密着させることができ、スリング本体１内で被抱持物Ｑを確実に格納でき、スリング本体１からの被抱持物Ｑの脱落を防止でき、被介護者等に安心感を与えることができる。
【００１１】
さらに、連結リング３Ａ，３Ｂを備えた他方の支持端部１Ｂ側には、抱持者Ｐの肩を保護するクッションとなるポリエステル綿入りの肩当て部５を形成して成るので、被抱持物Ｑの体重によって抱持者Ｐの肩に掛かる負担を軽減させることができる。
【００１２】
スリング本体１の開口部における両側縁部４Ａ，４Ｂには、被抱持物Ｑを保護するクッション部９Ａ，９Ｂを配設してあるので、スリング本体１内に格納抱持する被抱持物Ｑに対して、特に窄まり状となる両側縁部４Ａ，４Ｂによる直接のいわゆるあたりによる不快感を減少させ、被介護者等が痛み等を感じることもないばかりでなく、十分に保護させることができる。
【００１３】
加えて、一方の支持端部１Ａの両側端には、他方の支持端部１Ｂ側から折り畳まれたスリング本体１自体をロール状に包み込んで固定するよう面ファスナー６Ａ，６Ｂを付設したので、不使用時にはスリング本体１をコンパクトに纏め、丸めておくことができ、持ち運びや収納等に便利なものとなる。
【００１４】
尚、上記の課題を解決するための手段、発明の効果の項夫々において付記した符号は、図面中に記載した構成各部を示す部分との参照を容易にするために付したもので、図面中の符号によって示された構造・形状に本発明が限定されるものではない。
【発明を実施するための最良の形態】
【００１５】
以下、図面を参照して本発明を実施するための最良の一形態を説明すると、図において示される符号１は、例えば老人、病人等の被介護者Ｑを介護者Ｐの両腕で抱き上げて移動させるとき、あるいは図示を省略した例えば大型の犬等のペット類を運搬するとき等に使用される本発明に係るスリングを構成するところの一枚綿布で形成された略紡錘袋状を呈するスリング本体である。このスリング本体１は、図１に示すように、被介護者Ｑの略全体をくるめられるような大きさに形成してあり、しかも大柄な被介護者Ｑの場合でも、少なくとも被介護者Ｑの脇の下と膝の裏とが生地に包まれていれば良いものとされている。尚、本実施の形態の説明に際し、被介護者Ｑを介護者Ｐによって抱え、移動等させる場合としてあるが、ペット類等を運搬者にて運搬する場合も同様であり、特に限定しない限り、これらのいずれの場合も含むものである。尚、被介護者Ｑをスリング本体１によって抱えるとき、被介護者Ｑの脇の下、膝の裏に後述の両側縁部４Ａ，４Ｂが当接してこれを支えることで被介護者Ｑを安定して支持できるものとしてあるも、場合によっては脇の下、膝の裏等を直接に支えずに身体全体を支えるように格納し、包み込むようにしても良いものとしてある。
【００１６】
すなわち、スリング本体１は、図４、図５に示すように、袋体の開口部を形成する両側縁部４Ａ，４Ｂを前後の支持端部１Ａ，１Ｂに連結することで、両側縁部４Ａ，４Ｂが左右方向で開閉されるようにした紡錘袋状に形成されており、被介護者Ｑを十分に包み込める程度の長さ、例えば２ｍ前後の長さに形成されるも、もとよりこれに限定されるものではない。そして、当該側縁部自体は、縁部に沿って長い筒状となる帯袋状に折り曲げて縫合してあり、被介護者Ｑの脇の下と膝の裏とを支える部分に相当する当該左右帯袋中には窄め紐体２が一方の支持端部１Ａから外方に牽引、引き出し可能にしてそれぞれ内挿されていると共に、当該窄め紐体２の他端は他方の支持端部１Ｂ側で帯袋内で固着部７Ａ，７Ｂによって縫着等によって固着されている。尚、窄め紐体２における外出部分の端部は、例えば折り返し状にして縫合することでループを形成しており、このループ部分に手指等を挿入すること等で窄め紐体２の引っ張り操作等が容易にできるように配慮してある。
【００１７】
また、左右の細長筒状の帯袋は、両側縁部４Ａ，４Ｂの一端部を連結することで略矩形袋状に形成されている一方の支持端部１Ａ側の上面で両側縁部４Ａ，４Ｂ同士が重なり状に合致した状態で縫合部８として縫合されており、この縫合部８によってスリング本体１の開口部の前後の一端を所定幅員で扁平状となる支持端部１Ａとして連結している。この支持端部１Ａにおける幅員は、後述するようにスリング全体をコンパクトに纏めるときに、その纏めた全体を囲繞して包み込めるに足りる幅員になっている（図８参照）。そして、他端が固着部７Ａ，７Ｂにて縫合連結された可撓性ある帯板状の窄め紐体２がこの帯袋内を挿通して、支持端部１Ａ上の両側縁部４Ａ，４Ｂの端部開口からそれぞれで自由に外方へ引き出されるように延長されている（図３参照）。尚、図示を省略したが、窄め紐体２の外方への引き出し延長位置は、両側縁部４Ａ，４Ｂの端部に限らず、支持端部１Ａ付近における帯袋に開穿した引出孔から外出させても良いのである。
【００１８】
スリング本体１の開口部を形成する両側縁部４Ａ，４Ｂは、被介護者Ｑに直接にあたるから、被介護者等に不快感を与えないように細長帯袋に沿って、例えばポリエステル綿によるクッション部９Ａ，９Ｂを配設してある。
【００１９】
一方、スリング本体１における開口部の前後の他端である他方の支持端部１Ｂ側は絞った状態で二重環による連結リング３Ａ，３Ｂに挿通されてから折り返されて縫着してある。また、この折り返し部分における介護者Ｐの肩に当接する箇所に相当する生地内には、当該介護者Ｐの肩を保護するためのクッションとなるポリエステル綿入りの肩当て部５を形成してある。
【００２０】
そして、この二重環による連結リング３Ａ，３Ｂそれぞれに、窄め紐体２が配されている一方の支持端部１Ａ側を折り畳む等で細く纏めた状態で所定の長さに挿通した後に、当該一方の支持端部１Ａを折り返して再び二重環の片方の連結リング３Ａ（３Ｂ）に挿通することで両支持端部１Ａ，１Ｂを緊結させるものとしてあり、これによって使用時においてスリング本体１はその全体が前後で環状に形成されるのである。このとき、一方の連結リング３Ａ（３Ｂ）に挿通する一方の支持端部１Ａの長さを適宜調節することでスリング本体１の環長を、被介護者Ｑ等の体格の大小その他に対応して変更調整できるようにしてある。
【００２１】
そして、図２に示すように、これら一対の両窄め紐体２を外方へ向けて手指で強制的に引っ張ることによりスリング本体１の開口部における両側縁部４Ａ，４Ｂが互いに窄められ、スリング本体１の開口部を所定大きさとなるように窄め、これによって被介護者Ｑの脇の下と膝の裏とを支えた状態で包み込むことが可能となるようにしてある。
【００２２】
また、一方の支持端部１Ａの左右両側縁端部には、当該縁端部に沿って雄雌それぞれによる長尺帯状の面ファスナー６Ａ，６Ｂが縫合付設されており、スリング本体１の不使用時において連結リング３Ａ，３Ｂを備えた他方の支持端部１Ｂ側から例えば四つ折り状に折り畳まれたスリング本体１自体を所定幅員で扁平状にした一方の支持端部１Ａでロール状に包み込んでから当該面ファスナー６Ａ，６Ｂによって接合固定させられるようにしてある。
【００２３】
次に、以上のように構成された最良の形態についての使用の一例について説明すると、図２に示すように、介護者Ｐによって、他方の支持端部１Ｂに設けられた二重環による連結リング３Ａ，３Ｂそれぞれに、一方の支持端部１Ａを窄めた状態で所定の長さに挿通した後に、当該一方の支持端部１Ａを折り返して再び二重環の片方の連結リング３Ａ，３Ｂに挿通して両支持端部１Ａ，１Ｂを緊結しておく。このとき、被介護者Ｑの大きさに対応して一方の連結リング３Ａ（３Ｂ）に挿通する一方の支持端部１Ａの長さを調節することでスリング本体１の環長を変更調整する。
【００２４】
そして、図１に示すように、被介護者Ｑの脇の下と膝の裏とをスリング本体１の両側縁部４Ａ，４Ｂによって支えるようにして当該被介護者Ｑをくるんでから、環状のスリング本体１に介護者Ｐの頭部を潜らせて一方の支持端部１Ａの肩当て部５が当該介護者Ｐの肩に掛かるようにして持ち上げる。
【００２５】
このとき、両側縁部４Ａ，４Ｂに沿って挿通されている窄め紐体２を一方の支持端部１Ａ側から介護者Ｐ自身が手指等で強制的に引っ張ることにより両側縁部４Ａ，４Ｂが互いに内側に接近させることととなってスリング本体１の開口部を小さく窄ませる状態となり、これによって被介護者Ｑの身体はスリング本体１内にしっかりと格納され、介護者Ｐ等の身体等に密着した状態で支えられるものとなる。
【００２６】
また、不使用時には、先ず、図５に示すように、スリング本体１の左右両側縁部４Ａ，４Ｂを互いに内側に向けて折り畳んでおく。
【００２７】
そして、図６に示すように、一方の支持端部１Ａを裏側に折り返しておくと同時に、スリング本体１の略中央から二つ折りに畳み込む。
【００２８】
そして、図７に示すように、二つ折りのスリング本体１をさらに中央から折り畳んで四つ折り状態にしておく。
【００２９】
この折り畳まれたスリング本体１自体を一方の支持端部１Ａにおける左右側縁部側からロール状に包み込んでから、図８に示すように、一方の支持端部１Ａの左右両側縁端部に付設された面ファスナー６Ａ，６Ｂの当接によって接合固定すれば良い。
【００３０】
尚、上記した使用方法は一例に過ぎず、例えば介護者Ｐによって被介護者Ｑをスリング本体１に予め載せて置いてから、他方の支持端部１Ｂ側を介護者Ｐの背中から肩に掛け、他方の支持端部１Ｂに設けられた二重環による連結リング３Ａ，３Ｂそれぞれに、一方の支持端部１Ａを細めて纏めた状態で所定の長さに挿通した後に、当該一方の支持端部１Ａを折り返して再び二重環の片方の連結リング３Ａ，３Ｂに挿通して両支持端部１Ａ，１Ｂを緊結するようにしても良い。
【００３１】
また、図示を省略したが、スリング本体１によって被介護者Ｑを抱え込む場合に、抱え込み長さを調整して固定するとき、二重環の連結リング３Ａ、３Ｂによるものとしてあるが、これを凹部、突部相互の嵌め合いによって着脱される雌雄構造のバックル体によって代用することも可能である。
【００３２】
さらには、老人、病人等の被介護者、犬その他のペット類に限らず、乳幼児に対しても同様に使用できるのは勿論である。
【図面の簡単な説明】
【００３３】
【図１】本発明を実施するための最良の形態におけるスリングの使用状態を示す正面図である。
【図２】同じく他方の支持端部側の連結リングに一方の支持端部を挿通し、固定した状態を示す要部の拡大斜視図である。
【図３】同じく窄め紐体が挿通されている両側縁部の一部省略の断面図である。
【図４】同じくスリングを展開した状態を示す斜視図である。
【図５】同じくスリングの両側縁部を内側に折り畳んだ状態を示す斜視図である。
【図６】同じく不使用時でコンパクトに纏めるときにおいて、両側縁部の折り畳み後のスリングを中央で二つ折りにする状態を示す斜視図である。
【図７】同じく二つ折りのスリングをさらに中央から折り畳む状態を示す斜視図である。
【図８】同じく畳み込まれたスリングを一方の支持端部でロール状に包み込んでから面ファスナーで固定した状態を示す斜視図である。
【符号の説明】
【００３４】
Ｐ…介護者（抱持者）                    Ｑ…被介護者（被抱持者）
１…スリング本体                        １Ａ…一方の支持端部
１Ｂ…他方の支持端部                    ２…窄め紐体
３Ａ，３Ｂ…連結リング                  ４Ａ，４Ｂ…両側縁部
５…肩当て部                            ６Ａ，６Ｂ…面ファスナー
７…固着部                              ８…縫合部
９Ａ，９Ｂ…クッション部
【図１】
2006340961.tif 000003
【図２】
2006340961.tif 000004
【図３】
2006340961.tif 000005
【図４】
2006340961.tif 000006
【図５】
2006340961.tif 000007
【図６】
2006340961.tif 000008
【図７】
2006340961.tif 000009
【図８】
2006340961.tif 000010